(57)【要約】【課題】  天然木という天然資源の枯渇を抑制し、自然環境に配慮したグラウンド整地用トンボを提供することにある。【解決手段】  地面を掻くレーキ板又は地面を平滑に均すトンボ板が、人工木で形成され、人工木が、製紙工場で紙を製造する過程で排出される製紙糟と家庭や事業所等から排出され粉砕された廃プラスチックとを混錬して押出成型されたもので、また、人工木が、再処理及び再成型することにより、レーキ板及びトンボ板として再利用可能であることを特徴とする。【選択図】図１
2013044089.tif 000002
【特許請求の範囲】
【請求項１】
野球場や陸上競技場のグラウンドの土や砂の整地を行うグラウンド整地用トンボにおいて、
地面を掻くレーキ板又は地面を平滑に均すトンボ板が、人工木で形成されていることを特徴とするグラウンド整地用トンボ。
【請求項２】
前記人工木が、製紙工場で紙を製造する過程で排出される製紙糟と家庭や事業所等から排出され粉砕された廃プラスチックとを混錬して押出成型されたものであることを特徴とする請求項１記載のグラウンド整地用トンボ。
【請求項３】
前記人工木が、再処理及び再成型することにより、前記レーキ板及び前記トンボ板として再利用可能であることを特徴とする請求項１又は請求項２記載のグラウンド整地用トンボ。
【発明の詳細な説明】
【技術分野】
【０００１】
本発明は、野球場や陸上競技場のグラウンドの土や砂の整地を行うためのグラウンド整地用トンボに関する。
【背景技術】
【０００２】
従来より、野球場や陸上競技場のグラウンドの土や砂の整地を行うためにグラウンド整地用トンボが用いられている。例えば、特許文献１に示される従来のグラウンド整地用のトンボは、棒状の柄に略直角に整地板（トンボ板）を固定している。この特許文献１のトンボでは、整地板の辺に、地面を鋤き削る櫛状部を設け、整地板の辺の反対側の辺に、地面を平滑に均す平滑部を設け、柄及び整地板を木材で形成すると共に、櫛状部を金属製としている。この整地板を構成する木材は、天然木である。
【先行技術文献】
【特許文献】
【０００３】
【特許文献１】特開２００２−１４３３６０号公報
【発明の概要】
【発明が解決しようとする課題】
【０００４】
しかしながら、従来の地面を平滑に均す整地板（トンボ板）は、天然木である場合、地面と接して摩耗し、徐々に削れていってしまい、いずれはグラウンド整地用トンボ自体を破棄するか、整地板（トンボ板）を交換し摩耗した整地板（トンボ板）を破棄しなければならず、廃棄された部分は再生が不可能で、天然資源の一方的な消費にしかならない。
【０００５】
本発明は、このような事情に鑑みてなされたもので、天然木という天然資源の枯渇を抑制し、自然環境に配慮したグラウンド整地用トンボを提供することにある。
【課題を解決するための手段】
【０００６】
請求項１記載のグラウンド整地用トンボは、地面を掻くレーキ板又は地面を平滑に均すトンボ板が、人工木で形成されていることを特徴とする。
【０００７】
請求項２記載のグラウンド整地用トンボは、人工木が、製紙工場で紙を製造する過程で排出される製紙糟と家庭や事業所等から排出され粉砕された廃プラスチックとを混錬して押出成型されたものであることを特徴とする。
【０００８】
請求項３記載のグラウンド整地用トンボは、人工木が、再処理及び再成型することにより、レーキ板及びトンボ板として再利用可能であることを特徴とする。
【発明の効果】
【０００９】
本願の発明によれば、地面を掻くレーキ板又は地面を平滑に均すトンボ板に人工木を用い、その人工木が製紙工場で紙を製造する過程で排出される製紙糟と家庭や事業所等から排出され粉砕された廃プラスチックとを混錬して押出成型されたもので、再生及び再利用が可能なものであることから、天然木という天然資源の枯渇を抑制し、自然環境に配慮することができる。
【図面の簡単な説明】
【００１０】
【図１】本発明に係るグラウンド整地用トンボの一例を示す斜視図である。
【図２】同グラウンド整地用トンボの下面を示す斜視図である。
【図３】本発明に係るレーキ状のグラウンド整地用トンボの一例を示す斜視図である。
【図４】同レーキ状のグラウンド整地用トンボの下面を示す斜視図である。
【発明を実施するための形態】
【００１１】
本実施の形態におけるグラウンド整地用トンボは、野球場や陸上競技場のグラウンドの土や砂の整地を行うものである。図１は、本発明に係るグラウンド整地用トンボの一例を示す斜視図である。図２は、同グラウンド整地用トンボの下面を示す斜視図である。
【００１２】
以下、図１及び図２を用いて説明する。図１及び図２のグラウンド整地用トンボ１は、棒状の柄１２と、略長方形の板状のトンボ板２０等から構成されている。柄１２は、円柱又は円筒上で、外周面の下端部から上方に向かって、三角形で底片１４ａが折り返された筋交板１４が、ボルト１６で固定されている。この柄１２及び筋交板１４は、木材や金属（鉄でもよいが軽量化の観点からアルミニウムが好ましい）で作られている。
【００１３】
そして、筋交板１４の底片１４ａの下側に、トンボ板２０がボルト１８で、柄１２と直角に取り付けられている。このトンボ板２０は、略長方形の板材で、長手方向中央の上部が、筋交板１４の底片１４ａの幅に抉られるように削られ取付部２４が形成されている。そして、トンボ板２０が横に伸びた状態で、取付部２４が筋交板１４の底片１４ａに固定されている。尚、トンボ板２０の横に伸びた整地部２２の下面の柄１２とは反対の角が面取りされ、柄１２側の下面が整地面２６となっている。
【００１４】
トンボ板２０の材質は、人工木で、製紙工場で紙を製造する過程で排出される製紙糟（ペーパースラッジ）と家庭や事業所等から排出され粉砕された廃プラスチックとを混錬して押出成型されたものである。ペーパースラッジとは、製紙工場で、古紙や紙パック等をリサイクルするときに排出される再生紙にならない短い繊維の糟のことである。また、廃プラスチックは、自治体が分別回収しているプラスチック容器や樹脂製梱包材等をリサイクルした再生プラスチックである。この廃材であるペーパースラッジや廃プラスチックを用いた人工木としては、例えば、鈴与商事株式会社製のＥＣＯＰＡＲＭＡ／エコパルマ（登録商標）がある。実際に人工木をトンボ板２０として使用する場合には、裁断や削り出しを行うことで、前述のようなトンボ板２０の形状に加工している。
【００１５】
このグラウンド整地用トンボ１を使用する場合には、地面にトンボ板２０の整地面２６を擦りつけるようにして、地面を平滑に均していく。尚、柄１２や筋交板１４の材質や形状により制限されるものではない。そして、グラウンド整備を繰り返す中で、当然にトンボ板２０の整地面２６が摩耗して整地が困難になってくるが、この場合は、トンボ板２０を新しいものに交換するようにすればよい。そして、摩耗して取り外されたトンボ板２０は、再処理及び再成型することにより、トンボ板２０として再利用するようにする（トンボ板２０に限らず後述するレーキ板３０として再利用することも可能）。このため、トンボ板２０の人工木としては、再生し再利用可能な材質が好ましく、上述のＥＣＯＰＡＲＭＡ／エコパルマは、それが可能である。
【００１６】
トンボ板２０が取り付けられているグラウンド整地用トンボ１は、地面を平滑に均すものであるが、地面を掻く通称ガリと言われるものもある。図３及び図４に示すグラウンド整地用トンボ２が、そのガリに相当する。図３は、本発明に係るレーキ状のグラウンド整地用トンボの一例を示す斜視図である。図４は、同レーキ状のグラウンド整地用トンボの下面を示す斜視図である。
【００１７】
図３及び図４に示すグラウンド整地用トンボ２は、柄１２、筋交板１４は同一である。そして、筋交板１４の底片１４ａの下側に、レーキ板３０がボルト１８で、柄１２と直角に取り付けられている。このレーキ板３０は、略長方形の板材で、横臥した状態の下面に複数の四角錐であるレーキ部３４が、横並びに並ぶように切削されている。そして、レーキ板３０の横長の平らな板部分が筋交板１４の底片１４ａに固定されている。尚、レーキ板３０の材質は、前述のトンボ板２０と同様である。
【００１８】
このグラウンド整地用トンボ２を使用する場合には、地面にレーキ板３０のレーキ部３４の先端を擦りつけるようにして、地面を掻いていく。尚、柄１２や筋交板１４の材質や形状により制限されるものではない。そして、グラウンド整備を繰り返す中で、当然にレーキ板３０のレーキ部３４が摩耗したり欠けたりして地面を掻くことが困難になってくるが、この場合は、レーキ板３０を新しいものに交換するようにすればよい。そして、摩耗や欠けて取り外されたレーキ板３０は、再処理及び再成型することにより、レーキ板３０として再利用するようにする（レーキ板３０に限らずトンボ板２０として再利用することも可能）。このため、レーキ板３０の人工木としては、再生し再利用可能な材質が好ましく、上述のＥＣＯＰＡＲＭＡ／エコパルマは、それが可能である。
【００１９】
このような構造のグラウンド整地用トンボ１，２によれば、地面を掻くレーキ板３０又は地面を平滑に均すトンボ板２０に人工木を用い、その人工木が製紙工場で紙を製造する過程で排出される製紙糟と家庭や事業所等から排出され粉砕された廃プラスチックとを混錬して押出成型されたもので、再生及び再利用が可能なものであることから、天然木という天然資源の枯渇を抑制し、自然環境に配慮することができる。
【産業上の利用可能性】
【００２０】
以上のように、本発明によれば、天然木という天然資源の枯渇を抑制し、自然環境に配慮したグラウンド整地用トンボを提供することができる。
【符号の説明】
【００２１】
１・・・・・グラウンド整地用トンボ
２・・・・・グラウンド整地用トンボ
１２・・・・柄
１４・・・・筋交板
１４ａ・・・底片
１６・・・・ボルト
１８・・・・ボルト
２０・・・・トンボ板
２２・・・・整地部
２４・・・・取付部
２６・・・・整地面
３０・・・・レーキ板
３２・・・・取付部
３４・・・・レーキ部
【図１】
2013044089.tif 000003
【図２】
2013044089.tif 000004
【図３】
2013044089.tif 000005
【図４】
2013044089.tif 000006